(57)【要約】      （修正有）【課題】リールシートを把持したときに親指の付け根の位置を安定させるためのリールシート用補助部材を提供する。【解決手段】リールシート用補助部材１７を、穂先側輪郭又は端部、竿尻側輪郭又は端部、下側輪郭又は端部及び上側輪郭又は端部を有するプレート片状に形成する。リールシート用補助部材１７の穂先側部に穂先側の筒状部４５を設け、リールシート用補助部材１７の長さ方向中央部の下側に竿尻側の筒状部材４５を設けておく。リールシート用補助部材１７の竿尻側部を竿尻側輪郭又は端部が上側輪郭又は端部よりも内側に位置するように屈曲しておく。【選択図】図３
2019126261.tif 000002
【特許請求の範囲】
【請求項１】
リールシートに取り付けられてこのリールシートを掌と指で握るときの安定性を向上させるリールシート用補助部材であって、
リールシートに取り付けられたリールの下側に配置されてリールシートに固定される取り付け部と、
前記取り付け部を前記リールシートに固定したときに前記リールの竿尻側に位置する竿尻側縁部を有する竿尻側部と、を有し、
前記竿尻側部又は前記竿尻側縁部はリールシートを握ったときの掌の母指球に当接するように形成されている、ことを特徴とするリールシート用補助部材。
【請求項２】
前記取り付け部と前記竿尻側部とを一体的に有するプレート片状に形成されている、ことを特徴とする請求項１記載のリールシート用補助部材。
【請求項３】
前記竿尻側部の表面には前記竿尻側縁部から広がる凹んだ滑り止め部が形成されている、ことを特徴とする請求項１記載のリールシート用補助部材。
【請求項４】
前記取り付け部を前記リールシートに固定したときに前記リールシートの下端縁部よりも上側に位置する下側縁部を有している、ことを特徴とする請求項１記載のリールシート用補助部材。
【請求項５】
前記竿尻側部は前記竿尻側縁部を内側に位置させるように湾曲している、ことを特徴とする請求項１記載のリールシート用補助部材。
【請求項６】
前記竿尻側縁部の両端部間の間隔は２０ｍｍ乃至４５ｍｍである、ことを特徴とする請求項１記載のリールシート用補助部材。
【請求項７】
前記滑り止め部の前記竿尻側縁部での凹み形状の曲率半径は１５ｍｍ乃至２５ｍｍである、ことを特徴とする請求項３記載のリールシート用補助部材。
【請求項８】
リールシートに取り付けられるリールシート用補助部材であって、
リールシートに取り付けられたリールの下側に配置されてリールシートに固定されるプレート状又はプレート片状の部材であり、
前記リールシートに固定したときに前記リールよりも竿尻側に位置する竿尻側縁部を有する竿尻側部を有し、
前記竿尻側部又は前記竿尻側縁部はリールシートを握ったときの親指の付け根又は母指球に当接するように形成されている、ことを特徴とするリールシート用補助部材。
【請求項９】
請求項１乃至請求項８記載のいずれかのリールシート用補助部材を有する、ことを特徴とするリールシート。
【請求項１０】
請求項９記載のリールシートを備えた、ことを特徴とする釣竿。
【発明の詳細な説明】
【技術分野】
【０００１】
本発明は、上付き型リールが取り付けられたリールシートを握ってキャスティングやパーミングを行なう際の安定性などを向上させる技術に関する。
【背景技術】
【０００２】
両軸リール又はベイトリールなどの上付き型リールを取り付ける釣竿には、例えば指掛け用のトリガが一体的に設けられたリールシートが組み込まれる。このようなリールシートを備えた釣竿を用いる場合には、いずれか一方の手でリールシートを把持して後方から前方に釣竿を振り出し、所望の位置に餌やルアーを飛ばすようにキャスティングを行ない、このキャスティングの後に、リールシートを安定して把持したうえで、他方の手でリールシートに取り付けられているリールのハンドルを操作しながら、釣竿を動かしたり停止させたりすることを繰り返すパーミングを行なう。キャスティングではリールシートの下面側を把持するとともに、親指をリールのスプールの上方に当ててラインの繰り出しのタイミングを計る。また、パーミングではリールシートの下面側を把持するとともに、親指をリール本体の側部上方に掛け、長時間のパーミングでも疲れないようにしながらリールが振れないように心がける。
【０００３】
従来のリールシートでは、キャスティング時やパーミング時に親指以外の指でリールシートを安定して保持できるようにするために、主としてリールシートの意匠面やトリガの形状の改善に力が注がれてきた。例えば、リール装着部の幅方向一方側に指掛け用の突出部を形成し、この突出部の下面に指先を掛けることができるように構成したり（例えば特許文献１参照）、リール脚載置部の幅方向両側を側方に膨出させて側方膨出部を形成したり（例えば特許文献２参照）、あるいはリールシートのトリガを竿尻側に傾斜させてほぼ真っ直ぐ下方に突出させ、小指をトリガの先端付近に掛けた状態で、親指を除く４本の指によりトリガからボディに渡る広い範囲を支えて握れるように構成したもの（例えば特許文献３参照）などが知られている。
【先行技術文献】
【特許文献】
【０００４】
【特許文献１】実用新案登録第２５４８７５６号公報
【特許文献２】実用新案登録第２５１１７１８号公報
【特許文献３】特許第３８６６５０９号公報
【発明の概要】
【発明が解決しようとする課題】
【０００５】
上述のようなリールシートの把持感覚を向上させる構成は、指の接触感覚やフィット感を良好にするための技術であり、親指以外の指による把持態様を直接の対象としているものである。しかしながら、図１１ａに示すように、例えばキャスティング時には、親指Ａの先をリールＢのスプールＣの上方にあてがっておき、釣糸の繰り出しのタイミングで親指ＡをスプールＣから離し、また、餌やルアーの着水音を小さくするために、スプールＣに軽く親指Ａの先を触れて釣糸の繰り出し具合を調整するためのサミングを行なう。このようなキャスティング時の親指Ａの動きは、親指Ａの付け根Ｄの位置を安定させておくことで、すばやさと正確さが向上する。また、図１１ｂに示すように、パーミング時には、親指Ａの先をリール本体Ｅの上側にあてがっておき、リールＢの左右のふらつきを防止するが、この対応は長時間におよぶので親指Ａがより疲れないようにしておくことが必要である。したがって、この観点からも親指Ａの付け根Ｄの位置を安定させておくことが好ましい。さらに、掌や親指以外の指の位置は親指の付け根の位置を中心として定まるので、親指の付け根の位置が安定していれば、親指以外の指の位置を前提としたリールシートの意匠面やトリガの形状を正確に設定でき、その結果、リールシートの意匠面やトリガの形状に指が馴染み、長時間の釣りの中でも指に肉刺ができにくい。リールシートの意匠面やトリガの形状は指に馴染みを持たせる必要があるため、一旦釣竿に装着されればそのまま変更なく使用され続けるが、リールの形状は様々であるため、図１１に示す従来のリールシートＦのように親指Ａの付け根又は母指球Ｄを安定して支える部材が設けられていない。
【０００６】
そこで本発明は、リールシートとリールを掌及び指で把持する場合に、親指の付け根の位置を安定させておくことができるリールシート用補助部材、このようなリールシート用補助部材を有するリールシート及びこのようなリールシート用補助部材を有するリールシートを備えた釣竿の提供を目的とする。
【課題を解決するための手段】
【０００７】
この目的を達成するための本発明のリールシート用補助部材は、リールシートに取り付けられてこのリールシートを掌と指で握るときの安定性を向上させるリールシート用補助部材であって、リールシートに取り付けられたリールの下側に配置されてリールシートに固定される取り付け部又は本体部と、前記取り付け部又は本体部を前記リールシートに固定したときに前記リールの竿尻側に位置する竿尻側縁部を有する竿尻側部と、を有し、前記竿尻側部又は前記竿尻側縁部はリールシートを握ったときの掌の母指球に当接するように形成されているものである。取り付け部又は本体部は例えばリールの下側とリールシートの外側（例えば幅方向外側）との間のスペースに配置される。竿尻側縁部は例えば、リールシートよりも高く、かつ、リールシートよりも幅方向外側の位置から開始して、リールシートと高さ方向及び幅方向で重なる位置まで下降し、竿尻側縁部に続く下側縁部の切り替わり部分をＲ（アール）形状にすることにより、母指球に当接する。リールシート用補助部材は例えば取り外し可能にリールシートに取り付けられるが、リールシートに設けられたリールのハンドルと反対側の、例えばねじ孔である取り付け個所に取り付けることができる。リールシート用補助部材は、取り付け部又は本体部と竿尻側部とを一体的に有するプレート片状に形成することができ、また、取り付け部又は本体部をリールシートに固定したときにリールシートの下端縁部よりも上側に位置する下側縁部を有していることが好ましい。本発明のリールシート用補助部材は、リールシートに取り付けられるリールシート用補助部材であって、リールシートに取り付けられたリールの下側に配置されてリールシートに固定されるプレート状又はプレート片状の部材であり、前記リールシートに固定したときに前記リールよりも竿尻側に位置する竿尻側縁部を有する竿尻側部を有し、前記竿尻側部又は前記竿尻側縁部はリールシートを握ったときの親指の付け根又は母指球に当接するように形成されているものとすることができる。ここではリールシートを把持するとリールシート用補助部材を握り、リールシート用補助部材に掌が押し付けられることとなるように構成される。そして、竿尻側部又は竿尻側縁部は、リールの上側にかけられた親指下側輪郭線から延長するように導かれた曲線となり、リールシート用補助部材又はリールシート用補助部材の表面形状を掌の母指球部分が竿尻側縁部に導かれて当接するような形状としておく。
【０００８】
竿尻側部の表面に竿尻側縁部から広がる凹んだ滑り止め部を形成しておくことが好ましい。また、竿尻側部を竿尻側縁部が内側に位置するように湾曲させておくことができる。このように構成すれば、竿尻側縁部を掌の対象位置又は母指球に当接するように正確に位置させることができる。竿尻側縁部の両端部間の間隔は２０ｍｍ乃至４５ｍｍであることが好ましく、滑り止め部の竿尻側縁部での凹み形状の曲率半径は１５ｍｍ乃至２５ｍｍであることが得策である。
【０００９】
また、この目的を達成するための本発明のリールシートは、上述のリールシート用補助部材を有するものであり、この目的を達成するための本発明の釣竿は、このようなリールシートを備えたものである。
【発明の効果】
【００１０】
本発明のリールシート用補助部材、リールシート用補助部材を有するリールシート及びリールシート用補助部材を有するリールシートを備えた釣竿では、親指の付け根の位置が安定しているので、掌と指によるリールとリールシートの把持機能及びリールの操作性を向上できる。
【図面の簡単な説明】
【００１１】
【図１】本発明に係るリールシート用補助部材を有するリールシートの分解斜視図（ａ）、正面図（ｂ）及び側面図（ｃ）ある。
【図２】リールシート用補助部材を有するリールシートの斜視図（ａ）及び別の斜視図（ｂ）である。
【図３】リールシート用補助部材を有するリールシートを組み込んだ釣竿の平面図（ａ）及び正面図（ｂ）である。
【図４】リールシート用補助部材の正面図（ａ）、図４（ａ）のＡ−Ａ線端面図（ｂ）、リールシート用補助部材の平面図（ｃ）及びリールシート用補助部材の内面側を示す斜視図（ｄ）である。
【図５】釣竿にリールを取り付けた場合の正面図（ａ）及び平面図（ｂ）である。
【図６】釣竿に別のリールを取り付ける場合を示す正面図（ａ）及び平面図（ｂ）である。
【図７】キャスティング時のリールシートの把持態様を示す平面図（ａ）、正面図（ｂ）及び側面図（ｃ）である。
【図８】パーミング時のリールシートの把持態様を示す平面図（ａ）及び正面図（ｂ）、パーミング時のリールシートの別の把持態様を示す平面図（ｃ）及び正面図（ｄ）である。
【図９】本発明に係るリールシート用補助部材の第１の変更例を示す図である。
【図１０】本発明に係るリールシート用補助部材の第２の変更例を示す図である。
【図１１】従来のリールシートを把持したときの状態を示す図である。
【発明を実施するための形態】
【００１２】
以下、本発明を実施するための形態を図面の参照により説明する。
【００１３】
まず、図１乃至図３を参照して本発明に係るリールシート用補助部材を備えたリールシート及び釣竿を説明する。
【００１４】
リールシート１は、竿尻側に固定フード３及びトリガ５を一体的に有し、穂先側に取り付けパイプ部７を一体的に備え、固定フード３と取り付けパイプ部７の間に中間部９が一体的に形成された、竿差込み孔１１が設けられているプラスチック製又は金属製等のボディ１３と、このボディ１３の取り付けパイプ部７に取り付けられるプラスチック製又は金属製等の可動フード１５と、ボディ１３に取り付けられる薄肉のプレート片状のリールシート用補助部材１７と、を具備し、リールシート用補助部材１７はプラスチック製又は金属製等とすることができ、固定フード３と可動フード１５はリール装着部を構成している。
【００１５】
ボディ１３の固定フード３は、右側ハンドル１９を有する両軸リール２１（図５参照）の一方のリール脚（図示せず）を受け入れて固定するためのものであり、固定フード３内にはこの一方のリール脚を載せるための一対の脚載置台部２３が形成されている。ボディ１３の取り付けパイプ部７は、中間部９に接続されて設けられた脚支持部２５と、この脚支持部２５に接続されて設けられた、外周に雄ねじを有する螺着部２７と、を一体的に有していて、周方向一個所に全長にわたって縮径用のスリット２９が設けられている。脚支持部２５には両軸リール２１の他方のリール脚３１（図５参照）を載せるための一対の脚載置台部３３が形成されている。
【００１６】
可動フード１５は、螺着部２７の雄ねじに螺合する雌ねじ（図示せず）を内面に有する、竿通し孔３５が設けられた締め付け部３７と、この締め付け部３７に回転可能に接続され、両軸リール２１の他方のリール脚３１に被さってこの他方のリール脚３１を固定するためのフード本体３９と、を有している。
【００１７】
リールシート用補助部材１７はボディ１３の幅方向一方側（両軸リール２１の右側ハンドル１９と反対側）に取り付けねじ４１を用いて取り外し可能に取り付けられる。リールシート用補助部材１７には、ねじ通し孔４３（リールシート用補助部材１７及び筒状部４５を貫通している）を有する筒状部又はボス４５が内面側に突出するように長さ方向で一対、一体的に設けられ、ボディ１３の中間部９及び固定フード３の幅方向一方側にはこの筒状部４５に対応するように一対のねじ孔４７が形成されていて、取り付けねじ４１をリールシート用補助部材１７の筒状部４５のねじ通し孔４３に通し、ボディ１３の中間部９及び固定フード３の幅方向一方側のねじ孔４７にねじ込むことにより、筒状部４５の座面である内端面４９をねじ孔４７に当接させた状態でリールシート用補助部材１７はボディ１３に固定される。ここでは、リールシート用補助部材１７の筒状部４５の内端面４９以外の部分はボディ１３に当接又は接触していないので、ボディ１３に傷が付くのを効果的に防止できる。なお、ボディ１３の中間部９及び固定フード３の幅方向他方側にも一対のねじ孔４７が形成されていて、リールシート１に左側ハンドル１９を有する両軸リール２１（図６参照）を取り付ける場合には、リールシート用補助部材１７と対称形状のリールシート用補助部材１７を取り付けねじ４１を用いて幅方向他方側のねじ孔４７に固定することとなる。また、リールシート用補助部材１７のボディ１３への取り付けはねじ以外の取り付け手段、例えばクランプやカムロックを用いることもできる。
【００１８】
図３（ａ）に示すように、リールシート１は、ボディ１３の竿尻側端にグリップ５１を固定し、可動フード１５の締め付け部３７の竿通し孔３５にゆるく通された竿本体５３をボディ１３の竿差込み孔１１に差し込んで固定することにより、釣竿５５に組み付けられる。また、図５及び図６に示すように、両軸リール２１は、一方のリール脚部が脚載置台部２３に載った状態で固定フード３内に差し込まれて固定され、締め付け部３７を回転させることにより可動フード１５を竿尻側に移動させ、脚載置台部３３に載せられた両軸リール２１の他方のリール脚３１にフード本体３９を被せてこの他方のリール脚３１を固定することにより、リールシート１に取り外し可能に取り付けられている。
【００１９】
なお、符号５７はトリガ５よりも穂先側でボディ１３の下面側にわずかに突出するように形成されたサブトリガであり、例えばパーミング時に中指の中節骨部位をホールドするためのものである。
【００２０】
次に、図４を参照してリールシート用補助部材１７の形状を説明する。
【００２１】
リールシート用補助部材１７は、リールシート１に取り付けたときを基準として、穂先側輪郭又は端部（縁部）５９、竿尻側輪郭又は端部（縁部）６１、下側輪郭又は端部（縁部）６３及び上側輪郭又は端部（縁部）６５を有するプレート片状に形成されている。一対の筒状部４５のうち、穂先側の筒状部４５はリールシート用補助部材１７の穂先側部６７に設けられ、竿尻側の筒状部４５はリールシート用補助部材１７の長さ方向中間部６９の下側に設けられていて、穂先側輪郭又は端部５９及び下側輪郭又は端部６３は内側に屈曲し、それぞれの屈曲部は筒状部４５の内端面４９の手前まで延びている。穂先側部６７及び長さ方向中間部６９は取り付け部又は本体部を構成する。取り付け部又は本体部あるいは取り付け部又は本体部の上下方向に広がる部分はリールシート１の外面から側方に離れて位置している。リールシート用補助部材１７の上側輪郭又は端部６５は、両軸リール２１のリール本体（ケース）７１（図５ａ参照）の下面に沿って延び、リール本体７１の竿尻側に回り込むように凹状に湾曲している。取り付け部又は本体部はリール本体７１の下側でリールシート１の幅方向外側のスペースに配置されている。リールシート用補助部材１７の上側輪郭又は端部６５は両軸リール２１のリール本体７１の下面に接触しないように形成されている。また、リールシート用補助部材１７の下側輪郭又は端部６３はリールシート１の下端縁部よりも上方に位置し、リールシート１の軸線とほぼ一致する高さに位置している。したがって、指に馴染みを持たせたいリールシートの意匠面やトリガの形状に影響がない。リールシート用補助部材１７の竿尻側部７３は竿尻側輪郭又は端部６１が上側輪郭又は端部６５よりも内側に位置するように屈曲し、竿尻側輪郭又は端部６５の竿尻側は筒状部４５の内端面４９よりも内側に位置しているが、リールシート１の軸線位置には至っていない。したがって、母指球の支持位置がリール本体（ケース）７１の幅方向の外壁よりも内側になり、キャスティングからパーミングへの切替時に親指の動作距離が短くなる。竿尻側輪郭又は端部６１の直線距離Ｌあるいは竿尻側輪郭又は端部６１の両端部間の間隔Ｌは２０ｍｍ乃至４５ｍｍが適切である。距離又は間隔Ｌが２０ｍｍ未満であると母指球の支持機能が低下するし、４５ｍｍを超えると接触感が悪化する。ここでリールシート１を把持すると、掌は本体部及び竿尻側部７３又は本体部及び竿尻側部７３の表面に押し付けられ、掌の母指球部分は竿尻側輪郭又は端部６１に導かれて当接する。
【００２２】
リールシート用補助部材１７の竿尻側部７３の上側は竿尻側輪郭又は端部６１から舌状に延びる範囲で内側に凹んで断面円弧状の滑り止め部７５を形成している。滑り止め部７３の円弧状断面の曲率半径は１５ｍｍ乃至２５ｍｍであることが好ましい。この滑り止め部７５は親指の付け根の母指球を食い込ませることにより滑り止め機能を確保する個所であるが、曲率半径が１５ｍｍ未満であると母指球が食い込みすぎて接触感が悪化する。また、曲率半径が２５ｍｍを超えると母指球の食い込み程度が不足して滑り止め機能が低下する。なお、竿尻側輪郭又は端部６１と滑り止め部７３により、母指球へのＴ字形の食い込み形状が構成されている。
【００２３】
舌状の滑り止め部７５は、竿尻側輪郭又は端部６１上の竿尻側の始点Ｘから穂先側に傾斜して下側に延び、折り返して竿尻側輪郭又は端部６１上の穂先側の終点Ｙに至る輪郭又は稜線を有しているが、始点Ｘの接線Ｚの延びる方向と一致又はほぼ一致して又は舌状の滑り止め部７５の向かう方向と平行又はほぼ平行にサブトリガ５７（サブトリガ５７の稜線）が形成されている。リールシート１を把持し、リールシート用補助部材１７の竿尻側輪郭又は端部６１及び滑り止め部７５で母指球が位置決めされることにより自然と指又は中指が向かう方向にサブトリガ５７が形成されることとなる。リールシート１の下端部でのトリガ５からサブトリガ５７に至る円弧状曲線の曲率半径は９ｍｍ乃至１１ｍｍが好ましい。トリガ５とサブトリガ５７との間にはリールシート１を把持したときに中指や薬指が入り込むが、曲率半径が９ｍｍ未満であると指と指とが接触するおそれがあり、曲率半径が１１ｍｍを超えると指と指との間隔を無理に開くこととなる。
【００２４】
次に、図７及び図８を参照してリールシート１を組み込んだ釣竿５５の使用時の把持状態を説明する。
【００２５】
図７に示すように、キャスティング時にはトリガ５を中指と薬指で挟み、また、サブトリガ５７を人差指と中指で挟んで親指を両軸リール２１のスプール７７上にあてがう。そうすると、母指球Ｏにリールシート用補助部材１７の竿尻側輪郭又は端部６１及び滑り止め部７５の稜線が食い込む。
【００２６】
図８に示すように、パーミング時にはトリガ５を薬指と子指で挟み、また、サブトリガ５７を中指と人差指で挟んで親指を両軸リール２１のリール本体７９の上側にあてがう。そうすると、同じように、母指球Ｏにリールシート用補助部材１７の竿尻側輪郭又は端部６１及び滑り止め部７５の稜線が食い込む。なお、図８の（ａ）及び（ｂ）では人差指を伸ばして可動フード１５にあてがっているが、図８の（ｃ）及び（ｄ）では人差指を曲げてリールシート用補助部材１７の穂先側輪郭又は端部５９に沿わせている。
【００２７】
なお、図９に示すように、取り付ける両軸リール２１が卵形の場合には、リールシート用補助部材１７の竿尻側輪郭又は端部６１の直線距離Ｌは図１のリールシート用補助部材１７よりも短くなる。また、図１０に示すように、取り付ける両軸リール２１がより長い卵形の場合には、リールシート用補助部材１７の竿尻側輪郭又は端部６１が穂先側に傾斜して延び、竿尻側輪郭又は端部６１の下側が上側よりも穂先側にずれるが（間隔Ｍ参照）、リールシート１の軸線に対して４５度の角度を有する基準線Ｗとの接点が竿尻側輪郭又は端部６１と下側輪郭又は端部６３との境界（竿尻側端）となる。
【００２８】
本発明の範囲は、前述した実施の形態及び添付の図面に限定されるものではなく、本発明の技術的思想を逸脱しない範囲での実施の形態に対する様々な置換、変形及び変更も本発明の範囲内のものとなる。
【符号の説明】
【００２９】
１                            リールシート
１７                          リールシート用補助部材
２１                          リール
６５                          竿尻側輪郭又は端部
６７                          穂先側部（取り付け部）
６９                          長さ方向中央部（取り付け部）
【図１】
2019126261.tif 000003
【図２】
2019126261.tif 000004
【図３】
2019126261.tif 000005
【図４】
2019126261.tif 000006
【図５】
2019126261.tif 000007
【図６】
2019126261.tif 000008
【図７】
2019126261.tif 000009
【図８】
2019126261.tif 000010
【図９】
2019126261.tif 000011
【図１０】
2019126261.tif 000012
【図１１】
2019126261.tif 000013